(57)【要約】【課題】トナーボトルが装置本体に装着された状態で運搬される際に、トナーボトルの温度上昇を抑制する断熱部材を減少させることができる画像形成装置用の梱包体を提供する。【解決手段】装置本体１００Ａは、トナーボトル１５が装着される装着部６０と、シートＰが搬送されるシート搬送部８１と、画像形成ユニットを駆動する駆動電装部と、装着部６０の上方に配置される排出トレイ部５０と、を備え、前側面断熱部材７２、左側面断熱部材７１、アクセサリー箱７０Ａは、装置本体１００Ａの前側面５２、シート搬送部８１とは逆方向の左側面５１、排出トレイ部５０、の３面に対して、少なくともトナーボトル１５の投影部に配置される画像形成装置用の梱包体８０を構成した。【選択図】  図２
2015231862.tif 000002
【特許請求の範囲】
【請求項１】
装置本体の全体を被覆する梱包箱と、
前記梱包箱と前記装置本体との間に配置され、画像形成装置の周囲を部分的に覆うように配置された断熱部材と、
を備える画像形成装置用の梱包体であって、
前記装置本体は、
トナーボトルが装着される装着部と、
シートが搬送されるシート搬送部と、
画像形成ユニットを駆動する駆動機構及び電装部を有する駆動電装部と、
前記装着部の上方に配置され、シートが排出される排出トレイ部と、
を備え、
前記断熱部材は、前記装置本体の前側面、前記シート搬送部がある方向とは逆方向の逆側面、前記排出トレイ部、の３面に対して、少なくとも前記装着部に装着されたトナーボトルの投影部の全域が覆われるように配置されていることを特徴とする画像形成装置用の梱包体。
【請求項２】
前記断熱部材は、前記前側面、前記逆側面、前記排出トレイ部、の３面以外の面に対して配置されないことを特徴とする請求項１に記載の画像形成装置用の梱包体。
【請求項３】
装置本体の全体を被覆する梱包箱と、
前記梱包箱と前記装置本体との間に配置された断熱部材と、
を備える画像形成装置用の梱包体であって、
前記装置本体は、
トナーボトルが装着される装着部と、
シートが搬送されるシート搬送部と、
画像形成ユニットを駆動する駆動機構及び電装部を有する駆動電装部と、
前記装着部の上方に配置され、シートが排出される排出トレイ部と、
を備え、
前記断熱部材は、前記装置本体の前側面、前記シート搬送部がある方向とは逆方向の逆側面、前記排出トレイ部、の３面に対して、少なくとも前記装着部に装着されたトナーボトルの投影部に配置された第１断熱部材と、前記投影部とは異なる位置に配置された第２断熱部材と、を有し、前記第１断熱部材は、前記第２断熱部材よりも断熱性が高いことを特徴とする画像形成装置用の梱包体。
【請求項４】
前記断熱部材は、前記前側面、前記逆側面、前記排出トレイ部、の３面以外の面に対して配置されないことを特徴とする請求項３に記載の画像形成装置用の梱包体。
【請求項５】
装置本体の全体を被覆する梱包箱と、
前記梱包箱と前記装置本体との間に配置され、画像形成装置の周囲を部分的に覆うように配置された断熱部材と、
を備える画像形成装置用の梱包体であって、
前記装置本体は、
トナーボトルが装着される装着部と、
シートが搬送されるシート搬送部と、
画像形成ユニットを駆動する駆動機構及び電装部を有する駆動電装部と、
前記断熱部材は、前記装置本体の前側面、前記シート搬送部がある方向とは逆方向の逆側面、の２面に対して、少なくとも前記装着部に装着されたトナーボトルの投影部の全域を覆うように配置されていることを特徴とする画像形成装置用の梱包体。
【請求項６】
前記断熱部材は、前記前側面、前記逆側面、の２面以外の面に対して、配置されないことを特徴とする請求項５に記載の画像形成装置用の梱包体。
【請求項７】
装置本体の全体を被覆する梱包箱と、
前記梱包箱と前記装置本体との間に配置された断熱部材と、
を備える画像形成装置用の梱包体であって、
前記装置本体は、
トナーボトルが装着される装着部と、
シートが搬送されるシート搬送部と、
画像形成ユニットを駆動する駆動機構及び電装部を有する駆動電装部と、
を備え、
前記断熱部材は、前記装置本体の前側面、前記シート搬送部がある方向とは逆方向の逆側面、の２面に対して、少なくとも前記装着部に装着された前記トナーボトルの投影部に配置された第１断熱部材と、前記投影部とは異なる位置に配置された第２断熱部材と、を有し、前記第１断熱部材は、前記第２断熱部材よりも断熱性が高いことを特徴とする画像形成装置用の梱包体。
【請求項８】
前記第２断熱部材は、前記前側面、前記逆側面、の２面以外の面に対して、配置されないことを特徴とする請求項７に記載の画像形成装置用の梱包体。
【請求項９】
前記断熱部材は、前記装置本体と所定間隔をおいて配置されることを特徴とする請求項１乃至請求項８のいずれか１項に記載の画像形成装置用の梱包体。
【請求項１０】
前記断熱部材は、前記装置本体と接触していることを特徴とする請求項１乃至請求項８のいずれか１項に記載の画像形成装置用の梱包体。
【請求項１１】
前記断熱部材は、断熱性及び蓄熱性を有することを特徴とする請求項１乃至請求項１０のいずれか１項に記載の画像形成装置用の梱包体。
【発明の詳細な説明】
【技術分野】
【０００１】
本発明は、画像形成装置用の梱包体に関する。
【背景技術】
【０００２】
特許文献１には、被梱包物の前面が断熱部材で覆われ、断熱部材と被梱包物の間に温度調節部材が配置され、被梱包物の周囲の温度が所定の温度範囲に調整される構成が開示される。そして、この構成によれば、電子機器が梱包される場合に、電子機器の性能劣化が抑制される。
【０００３】
特許文献２には、被梱包物の一部にシート材が配置される構成が開示される。この構成によれば、梱包物の開梱時に製品が容易に取り出すことができる。
【先行技術文献】
【特許文献】
【０００４】
【特許文献１】特開２０１０−１０５７１０号公報
【特許文献２】特開２００５−１６８８号公報
【発明の概要】
【発明が解決しようとする課題】
【０００５】
近年、画像形成装置が梱包された状態から開梱されて使用可能な状態にする際の手間の削減が望まれている。これに伴い、トナーボトルが装置本体に装着された状態での梱包が望まれている。しかし、画像形成装置が輸送される際に、画像形成装置は、梱包された状態でコンテナに入れられて港等に置かれることがあり、直射日光により、コンテナの内部の温度が上昇してしまうことがある。
【０００６】
トナーは、所定の温度以上になると、劣化して、画像形成装置の不具合や画像不良を引き起こす原因となる。また、昨今、地球温暖化や、画像形成装置の小型化、トナーの低融点化が進むにつれ、画像形成装置の輸送時のトナーボトルの温度上昇が厳しくなっている。
【０００７】
こうした状況下で、特許文献１のように、断熱部材が画像形成装置の全ての面に配置されると、トナーボトルの温度上昇を抑制するのに効果があるが、梱包部材の点数や量が増加してしまう。
【０００８】
また、特許文献２のように、画像形成装置のトナーボトルの周辺に限らない一部をシート材や緩衝材で覆うだけでは、トナーボトルの周辺の断熱には不十分であり、トナーボトルの大きな温度上昇が招来される。
【０００９】
本発明は、上記実情に鑑み、トナーボトルが装置本体に装着された状態で運搬される際に、トナーボトルの温度上昇を抑制する断熱部材を減少させることができる画像形成装置用の梱包体を提供することを目的する。
【課題を解決するための手段】
【００１０】
上記目的を達成するために、本発明の画像形成装置用の梱包体は、装置本体の全体を被覆する梱包箱と、前記梱包箱と前記装置本体との間に配置され、画像形成装置の周囲を部分的に覆うように配置された断熱部材と、を備える画像形成装置用の梱包体であって、前記装置本体は、トナーボトルが装着される装着部と、シートが搬送されるシート搬送部と、画像形成ユニットを駆動する駆動機構及び電装部を有する駆動電装部と、前記装着部の上方に配置され、シートが排出される排出トレイ部と、を備え、前記断熱部材は、前記装置本体の前側面、前記シート搬送部がある方向とは逆方向の逆側面、前記排出トレイ部、の３面に対して、少なくとも前記装着部に装着されたトナーボトルの投影部の全域が覆われるように配置されていることを特徴とする。
【００１１】
本発明の他の画像形成装置用の梱包体は、装置本体の全体を被覆する梱包箱と、前記梱包箱と前記装置本体との間に配置された断熱部材と、を備える画像形成装置用の梱包体であって、前記装置本体は、トナーボトルが装着される装着部と、シートが搬送されるシート搬送部と、画像形成ユニットを駆動する駆動機構及び電装部を有する駆動電装部と、前記装着部の上方に配置され、シートが排出される排出トレイ部と、を備え、前記断熱部材は、前記装置本体の前側面、前記シート搬送部がある方向とは逆方向の逆側面、前記排出トレイ部、の３面に対して、少なくとも前記装着部に装着されたトナーボトルの投影部に配置された第１断熱部材と、前記投影部以外とは異なる位置に配置された第２断熱部材と、を有し、前記第１断熱部材は、前記第２断熱部材よりも断熱性が高いことを特徴とする。
【発明の効果】
【００１２】
本発明によれば、トナーボトルが装置本体に装着された状態で運搬される際に、トナーボトルの温度上昇を抑制する断熱部材を減少させることができる。
【図面の簡単な説明】
【００１３】
【図１】実施例１に係る画像形成装置の断面図である。
【図２】（ａ）は、梱包箱から出された画像形成部からアクセサリー箱や断熱部材を取外した状態を示す斜視図である。（ｂ）は、梱包箱から出された画像形成部にアクセサリー箱や断熱部材が設けられた状態を示す斜視図である。
【図３】（ａ）は、実施例２に関し、梱包箱から出された画像形成部からアクセサリー箱や断熱部材を取外した状態を示す斜視図である。（ｂ）は、梱包箱から出された画像形成部にアクセサリー箱や断熱部材が設けられた状態を示す斜視図である。
【図４】実施例３に係る画像形成装置の断面図である。
【図５】（ａ）は、梱包箱から出された画像形成部から断熱部材を取外した状態を示す斜視図である。（ｂ）は、梱包箱から出された画像形成部に断熱部材が設けられた状態を示す斜視図である。
【発明を実施するための形態】
【００１４】
以下、本発明の実施の形態を図に基づいて説明する。ただし、以下の実施の形態に記載されている構成部品の寸法、材質、形状、それらの相対配置等は、本発明が適用される装置の構成や各種条件により適宜変更されるべきものであり、本発明の範囲をそれらのみに限定する趣旨のものではない。
【実施例１】
【００１５】
図１は、実施例１に係る画像形成装置１００の断面図である。図１に示されるように、画像形成装置１００は、画像形成部１と、画像形成部１の上方に配置される画像読取部２と、画像読取部２の上方に配置される原稿搬送部３と、を備える。
【００１６】
原稿搬送部３は、原稿トレイ３０１の上に上向きにセットされた原稿Ｄを先頭ページから順に１枚ずつ給送し、湾曲したパスを介して画像読取部２のプラテンガラス２０１の上を通過させた後に、排出トレイ３０２に排出する。
【００１７】
画像読取部２は、原稿搬送部３が搬送する原稿Ｄをプラテンガラス２０１の上を左から右の方へと通過するときに、所定の位置に保持されたスキャナユニット２０２により画像を読み取る。すなわち、画像読取部２は、スキャナユニット２０２のランプ２０３によって原稿Ｄの読取面を光で照射し、その原稿Ｄからの反射光を、ミラー２０４、２０５、２０６を介してレンズ２０７に導く。このレンズ２０７を通過した光は、イメージセンサ２０８の撮像面に結像され、電気的なデジタル信号に変換して伝送される。
【００１８】
また、画像読取部２は、原稿搬送部３を使用せずに持ち上げて、プラテンガラス２０１上に原稿Ｄを直接セットし、スキャナユニット２０２を左から右へ走査させることによっても画像読取処理を行うことが可能である。即ち、画像読取部２は、必ずしも原稿搬送部３を装着しなくてもよく、プラテンガラス２０１上にセットした原稿Ｄを押さえる原稿押さえ部材を設けたものであってもよい。
【００１９】
画像形成部１は、Ｙ（イエロ）、Ｍ（マゼンタ）、Ｃ（シアン）、Ｂｋ（ブラック）の各色の作像部１０を備える。作像部１０は、感光体ドラム１１、帯電ローラ１２、レーザスキャナ１３、現像装置１４を有する。感光体ドラム１１の表面は、帯電ローラ１２によって一様に帯電された後に、伝送された画像情報に基づいて駆動されるレーザスキャナ１３によって静電像が形成される。現像装置１４は、感光体ドラム１１の表面の静電像をトナーで現像してトナー像を形成する。現像装置１４のトナーは、トナーボトル１５から供給される。
【００２０】
感光体ドラム１１上のトナー像は、一次転写ローラ１８により所定の加圧力および静電的負荷バイアスを付与されることで、中間転写ベルト３１に順次転写される。転写後、感光体ドラム１１上に残った僅かな残トナーは、感光ドラムクリーナ１６によって除去回収され、再び、次の画像形成に備える。
【００２１】
一方、シートＰは、カセット２０から１枚ずつ給送され、レジストローラ対２３に搬送される。シートＰは、先端をレジストローラ対２３のニップ部に倣わせてループを形成されることで、斜行が修正される。その後、レジストローラ対２３は、中間転写ベルト３１上のトナー像と同期を取って、シートＰを中間転写ベルト３１と二次転写外ローラ３５との間に搬送する。
【００２２】
中間転写ベルト３１上のカラーのトナー像は、中間転写ベルト３１と対向する二次転写内ローラ３４および二次転写外ローラ３５のニップ部において、所定の加圧力と静電的負荷バイアスが付与されることで、シートＰに転写される。トナー像がシートＰに転写された後は、中間転写ベルト３１上に残った僅かな残トナーは、転写クリーナ３６によって除去回収され、再び、次の画像形成に備える。シートＰ上に転写されたトナー像は、定着装置４０によって、加熱加圧されることで定着され、排出ローラ対４１により排出トレイ部５０上に排出される。
【００２３】
装置本体１００Ａには、トナーボトル１５が装着される装着部６０が区画される。ここでは、装着部６０の上方には、排出トレイ部５０が配置される。トナーボトル１５の下側には、中間転写ベルト３１や作像部１０が配置される。トナーボトル１５の右側には、シートＰが搬送されるシート搬送部８１が配置される。トナーボトル１５の奥側（図２（ａ）の裏側面５４を有する壁の部位）には、画像形成ユニットを駆動する駆動機構及び電装部を有する駆動電装部が配置される。
【００２４】
なお、駆動電装部に、駆動機構を制御するためのコントローラが含まれていても良い。また、ここでは、トナーボトル１５の右側にシート搬送部８１が配置される構成であるが、この構成に限定されなくても良く、トナーボトル１５の左方にシート搬送部８１が配置される構成でも良い。
【００２５】
図２（ａ）は、梱包箱６４から出された画像形成部１からアクセサリー箱７０Ａや断熱部材７１、７２を取外した状態を示す斜視図である。図２（ｂ）は、梱包箱６４から出された画像形成部１にアクセサリー箱７０Ａや断熱部材７１、７２が設けられた状態を示す斜視図である。
【００２６】
図２（ａ）に示されるように、画像形成部１の排出トレイ部５０には、断熱部材を兼ねたアクセサリー箱７０Ａが収納される。画像形成部１の左側面５１には、左側面断熱部材７１が貼付される。画像形成部１の前側面５２には、前側面断熱部材７２が貼付される。
【００２７】
このことにより、以下のことが言える。前側面断熱部材７２、左側面断熱部材７１は、装置本体１００Ａの前側面５２、シート搬送部８１がある方向とは逆方向の『逆側面』としての左側面５１に対して、アクセサリー箱７０Ａは、排出トレイ部５０に対して、設けられる。断熱部材は、それらの３面に対して、少なくとも装着部６０に装着されたトナーボトル１５の投影部（ここでは、トナーボトル１５とフレームを介在した隣接位置）の全域が覆われるように配置される。
【００２８】
これに対して、断熱部材は、装置本体１００Ａの前側面５２、シート搬送部８１がある方向とは逆方向の左側面５１、排出トレイ部５０の『３面以外の面』例えば右側面５３、裏側面５４に対して、配置されない。
【００２９】
『断熱部材』としての左側面断熱部材７１、前側面断熱部材７２は、梱包箱６４と装置本体１００Ａとの間で画像形成装置１００の周囲を部分的に覆うように配置されることになる。左側面断熱部材７１、前側面断熱部材７２は、装置本体１００Ａと所定間隔をおいて配置される。なお、左側面断熱部材７１、前側面断熱部材７２は、装置本体１００Ａと接触している構成であっても良い。
【００３０】
画像形成部１の下方には、四角形状のパレット６１が配置される。パレット６１の表面の四隅の各々には、底緩衝材６２が設けられる。このパレット６１の上の底緩衝材６２で囲まれる領域に、画像形成部１が載置される。画像形成部１の天部も四角形状で形成され、その四隅の内、左前部を除く三隅の各々には、天緩衝材６３が設けられる。この状態の画像形成部１の上方から梱包箱６４が被せられる。従って、梱包箱６４は、装置本体１００Ａの全体を被覆して、これによって画像形成装置用の梱包体８０が完成する。底緩衝材６２、天緩衝材６３は、梱包箱６４、画像形成部１に当接するよう配置されているが、これらの緩衝材は特に断熱効果を狙ったものではなくても良い。
【００３１】
ここでは、断熱部材が、排出トレイ部５０、左側面５１、前側面５２に配置される。画像形成装置１００がコンテナ等で輸送される場合に、梱包箱６４の外部の雰囲気温度が上昇して熱が梱包箱６４の内部に伝達される場合を想定する。この場合に、トナーボトル１５と近い位置の左側面５１、前側面５２、排出トレイ部５０から、その熱がトナーボトル１５に伝達され易いからである。
【００３２】
これに対して、トナーボトル１５の右方には、シートＰを搬送するシート搬送部８１が配置される。トナーボトル１５の奥方には、画像形成ユニットを駆動する駆動機構及び電装部を有する図示しない駆動電装部が配置される。トナーボトル１５の下方には、中間転写ベルト３１、作像部１０、カセット２０が配置される。熱は、こうした部位を介してはトナーボトル１５に伝達され難い。
【００３３】
なお、作像部１０にもトナーが含まれる。しかし、作像部１０のトナーは、トナーボトル１５のトナーと比較して、キャリアが多く含まれるために、規格温度が高い。また、断熱部材は、装置本体１００Ａに寄せる面の少なくともトナーボトル１５を投影した部分に配置すれば良いが、より広い面積を覆った方がより効果的である。
【００３４】
図２（ｂ）に示されるアクセサリー箱７０Ａ、左側面断熱部材７１、前側面断熱部材７２の互いの隙間は、空いていても良いが、小さい方が望ましい。また、断熱部材は、装置本体１００Ａの外装面に対して離間していても良いが、ごく近傍に配置されることが好ましい。さらに、断熱部材は、梱包箱６４の内側の面に接触していても良いが、梱包箱６４からの熱伝導が回避されるようにするために、梱包箱６４から離間する方が好ましい。また、断熱部材は、分割でも一体成形でも良い。
【００３５】
アクセサリー箱７０Ａ、左側面断熱部材７１、前側面断熱部材７２は、断熱性及び蓄熱性を有する。具体的には、アクセサリー箱７０Ａには、積層された段ボールや、画像形成装置のマニュアル、輸送時には外されている画像形成装置用の部品が入っており、断熱性、蓄熱性を持っており、トナーボトル１５の温度上昇を低減している。アクセサリー箱７０Ａや、左側面断熱部材７１、前側面断熱部材７２の材料は、断熱性や、蓄熱性を有する材料ならどのような材料でも良く、例として、段ボール、発泡材、相変化材が挙げられる。
【００３６】
こうした構成によれば、トナーボトル１５が装置本体１００Ａに装着された状態で搬送される場合に、少ない断熱部材でトナーボトル１５の温度上昇が抑制される。
【実施例２】
【００３７】
図３（ａ）は、実施例２に関し、梱包箱６４から出された画像形成部１から排出部断熱部材７５や断熱部材７１、７２、７３、７４を取外した状態を示す斜視図である。図３（ｂ）は、梱包箱６４から出された画像形成部１に排出部断熱部材７５や断熱部材７１、７２、７３、７４が収納された状態を示す斜視図である。実施例２の構成のうち、実施例１と同一の構成に関しては同一の符号を付して説明が援用されるものとして、ここでは説明を省略する。
【００３８】
実施例２の構成が実施例１と異なる点は、本実施例は、実施例１の構成に対し、アクセサリー箱７０Ａが排出部断熱部材７５に変えられ、右側面断熱部材７３が右側面５３に追加され、裏側面断熱部材７４が裏側面５４に追加される点である。図３に示されるように、右側面断熱部材７３、裏側面断熱部材７４の厚さは、排出部断熱部材７５、左側面断熱部材７１、前側面断熱部材７２の厚さに比べて、薄く設定されており、断熱性が低い。
【００３９】
こうしたことから、以下のことが言える。『第１断熱部材』としての前側面断熱部材７２、左側面断熱部材７１、排出部断熱部材７５は、装置本体１００Ａの前側面５２、シート搬送部８１がある方向とは逆方向の左側面５１、排出トレイ部５０、の３面に対して、少なくともトナーボトル１５の投影部に配置される。
【００４０】
これに対して、『第２断熱部材』としての右側面断熱部材７３、裏側面断熱部材７４は、装置本体１００Ａの前側面５２、シート搬送部８１がある方向とは逆方向の左側面５１、排出トレイ部５０、の『３面以外の面』に対して対向するように配置される。ここで、『３面以外の面』としては右側面５３、裏側面５４が該当する。前側面断熱部材７２、左側面断熱部材７１、排出部断熱部材７５は、右側面断熱部材７３、裏側面断熱部材７４よりも断熱性が高い。第２断熱部材は第１断熱部材と異なる位置に配置される。
【００４１】
『断熱部材』としての左側面断熱部材７１、前側面断熱部材７２、右側面断熱部材７３、裏側面断熱部材７４は、梱包箱６４と装置本体１００Ａとの間に配置されることになる。左側面断熱部材７１、前側面断熱部材７２、右側面断熱部材７３、裏側面断熱部材７４は、装置本体１００Ａと所定間隔をおいて配置される。なお、左側面断熱部材７１、前側面断熱部材７２、右側面断熱部材７３、裏側面断熱部材７４は、装置本体１００Ａと接触していても良い。排出部断熱部材７５、左側面断熱部材７１、前側面断熱部材７２、右側面断熱部材７３、裏側面断熱部材７４は、断熱性及び蓄熱性を有する。
【００４２】
これは、実施例１の説明でも述べたが、トナーボトル１５の右方には、シートを搬送するシート搬送部８１が配置される。トナーボトル１５の奥方には、画像形成ユニットを駆動する駆動機構及び電装部を有する図示しない駆動電装部が配置される。トナーボトル１５の下方には、中間転写ベルト３１、作像部１０、カセット２０が配置される。したがって、トナーボトル１５に熱が伝達し難い環境が既に整っているからである。
【００４３】
なお、ここでは、断熱部材が排出トレイ部５０、左側面５１、前側面５２、右側面５３、裏側面５４に配置したが、この構成に限定されなくても良く、断熱部材がそれらの部位以外に配置されても良い。
【実施例３】
【００４４】
図４は、実施例３に係る画像形成装置３００の断面図である。実施例３の構成のうち、実施例１と同一の構成には同一の符号を付して説明が援用されるものとし、ここでは説明を省略する。
【００４５】
図４に示されるように、トナーボトル１５の上方には、作像部１０、中間転写ベルト３１が配置される。従って、トナーボトル１５の直上に排出トレイ部５０（図１参照）が存在しない構成となっている。トナーボトル１５の右方には、シートを搬送するシート搬送部８１が配置される。トナーボトル１５の奥方には、画像形成ユニットを駆動する駆動機構及び電装部を有する図示しない駆動電装部が配置される。なお、ここでも、トナーボトル１５の右方にシート搬送部８１が配置される構成であるが、この構成に限定されなくても良く、トナーボトル１５の左方にシート搬送部が配置される構成でも良い。
【００４６】
本実施例では、左側面断熱部材７１が左側面５１に、前側面断熱部材７２が前側面５２に貼付されている。図５に示されるように、アクセサリー箱７０Ａや排出部断熱部材７５は、ここでは無い。従って、特定の２面に対して断熱部材が設けられ、その２面以外の面に対して断熱部材が設けられない。
【００４７】
なお、作像部１０にもトナーが含まれるが、作像部１０のトナーとキャリアの重量比はトナー：キャリア＝１０：９０であってキャリアが多く含まれるのに対し、トナーボトル１５ではトナーのみである。従って、作像部１０の規格温度は高い。しかし、梱包箱６４の外部の雰囲気温度によって規格温度を超える場合があるので、損場合には、排出トレイ部５０にも断熱部材を配置することが好ましい。
【実施例４】
【００４８】
実施例４は、実施例３と同様に、図４の画像形成装置３００のように、トナーボトル１５の上部に作像部１０や、中間転写ベルト３１がある場合など、トナーボトル１５の直上部に排出トレイ部５０が無い。また、実施例４は、トナーボトル１５の右方又は左方にシートを搬送するシート搬送部８１を備え、トナーボトル１５の奥側に画像形成ユニットを駆動するための駆動機構及び電装部を有する駆動電装部を備える。
【００４９】
本実施例は、画像形成部１の左側面５１、画像形成部１の前側面５２以外に対しても断熱部材を配置する実施例であり、実施例２から排出トレイ部５０の断熱部材を取り除いた構成と同様の構成である。従って、特定の２面に対して第１断熱性を有する第１断熱部材が設けられ、その２面以外の面に対して第１断熱性よりも断熱性が小さい第２断熱部材が設けられる。これに関する図や説明は省略する。
【符号の説明】
【００５０】
１５      トナーボトル
５０      排出トレイ部
５０Ｘ    トレイ面
５１      左側面（逆側面）
５２      前側面
６４      梱包箱
７１      左側面断熱部材（断熱部材）
７２      前側面断熱部材（断熱部材）
７３      右側面断熱部材（断熱部材）
７４      裏側面断熱部材（断熱部材）
８０      梱包体
８１      シート搬送部
１００Ａ  装置本体
【図１】
2015231862.tif 000003
【図２】
2015231862.tif 000004
【図３】
2015231862.tif 000005
【図４】
2015231862.tif 000006
【図５】
2015231862.tif 000007